(57)【要約】【課題】光路折り曲げ光学素子と色分解光学素子を具備し、固体撮像素子等を用いたビデオカメラ、電子スチルカメラ等に好適な超小型、高画質のズームレンズ系と光学機器。【解決手段】光軸に沿って物体側から順に、光路を略９０度折り曲げる光路折り曲げ光学素子を有し負の屈折力を持つ第１レンズ群と、正の屈折力を持つ第２レンズ群と、正の屈折力を持つ第３レンズ群と、正の屈折力を持つ第４レンズ群とを有するズームレンズと、前記ズームレンズからの光束を色分解するための色分解光学素子を有し、広角端状態から望遠端状態へのズーミングに際して、最も物体側の前記第1レンズ群は常に固定され、前記色分解光学素子は、前記ズームレンズに入射する光線の光軸と前記ズームレンズの光軸とを含む平面上に前記色分解光学素子によって色分解された光線の光軸を有するズームレンズ系と光学機器。【選択図】図２
2008008978.tif 000002
【特許請求の範囲】
【請求項１】
光軸に沿って物体側から順に、負の屈折力を持つ第1レンズ群と、正の屈折力を持つ第２レンズ群と、正の屈折力を持つ第３レンズ群と、正の屈折力を持つ第４レンズ群とを有するズームレンズと、前記ズームレンズからの光束を色分解するための色分解光学素子を有し、
前記第１レンズ群は、光路を略９０度折り曲げることを目的とした光路折り曲げ光学素子を有し、
広角端状態から望遠端状態へのズーミングに際して、最も物体側の前記第1レンズ群は常に固定され、
前記色分解光学素子は、前記光路折り曲げ光学素子に入射する光線の光軸と前記光路折り曲げ光学素子を出射する光線の光軸とを含む平面上に、前記色分解光学素子によって色分解された光線の光軸を有することを特徴とするズームレンズ系。
【請求項２】
前記色分解光学素子は、反射面を２面有していることを特徴とする請求項1に記載のズームレンズ系。
【請求項３】
前記色分解光学系の前記反射面は、前記色分解光学系に入射する光線の光軸に対して略４５度傾いていることを特徴とする請求項１または２に記載のズームレンズ系。
【請求項４】
前記光路折り曲げ光学素子の光路長をＰｄ、前記色分解光学素子の光路長をＳｄとしたとき、以下の条件を満足することを特徴とする請求項１から３のいずれか１項に記載のズームレンズ系。
１．５０  ＜  Ｐｄ／Ｓｄ  ＜  ２．５０  
【請求項５】
前記光路折り曲げ光学素子の屈折率をｎｄ１、前記色分解光学素子の屈折率をｎｄ２としたとき、以下の条件を満足することを特徴とするとする請求項１から４のいずれか１項に記載のズームレンズ系。
１．８０  ＜  ｎｄ１  
ｎｄ２  ＜  １．６０  
【請求項６】
広角端状態から望遠端状態へのズーミングに際して、最も物体側の前記第1レンズ群と、最も像面側の前記第４レンズ群は常に固定され、前記第２レンズ群及び前記第３レンズ群がそれぞれ光軸に沿って移動することを特徴とする請求項１から５のいずれか１項に記載のズームレンズ系。
【請求項７】
請求項１から６のいずれか１項に記載のズームレンズ系を有することを特徴とする光学機器。
【請求項８】
光軸に沿って物体側から順に、負の屈折力を持つ第1レンズ群と、正の屈折力を持つ第２レンズ群と、正の屈折力を持つ第３レンズ群と、正の屈折力を持つ第４レンズ群とを有するズームレンズと、前記ズームレンズからの光束を色分解するための色分解光学素子を有し、
前記第１レンズ群は、光路を略９０度折り曲げることを目的とした光路折り曲げ光学素子を有し、
前記色分解光学素子は、前記光路折り曲げ光学素子に入射する光線の光軸と前記光路折り曲げ光学素子を出射する光線の光軸とを含む平面上に、前記色分解光学素子によって色分解された光線の光軸を有し、
広角端状態から望遠端状態へのズーミングに際して、最も物体側の前記第1レンズ群は常に固定されていることを特徴とする変倍方法。
【請求項９】
広角端状態から望遠端状態へのズーミングに際して、最も物体側の前記第1レンズ群と、最も像面側の前記第４レンズ群は常に固定され、前記第２レンズ群及び前記第３レンズ群がそれぞれ移動することを特徴とする請求項８に記載の変倍方法。
【発明の詳細な説明】
【技術分野】
【０００１】
本発明は、色分解光学素子を有するズームレンズ系とこれを有する光学機器に関する。
【背景技術】
【０００２】
近年、光学系内部に光路を折り曲げる光学素子を配置した固体撮像素子等に好適なズームレンズが一般的になつつある。また電子スチルカメラ等において記録媒体として使用されている固体メモリの大容量化に伴い、従来記録方法が静止画のみだったものが動画の記録も可能となったため、電子スチルカメラに搭載されている撮像素子のより一層の高画素化が求められ、これに対応する撮像装置が提案されている（例えば、特許文献１参照）。
【特許文献１】特開２００５―３２１５４５号公報
【発明の開示】
【発明が解決しようとする課題】
【０００３】
しかしながら、特許文献１の開示例では、ズームレンズからの光束を色分解するためにズームレンズの後方に配置された色分解光学素子は、三つのプリズムを組み合わせて色分解光学素子を構成しているので、入射光束を色分解したのち各色の光路長を揃えなければならず、色分解光学素子が大型化してしまい、光学全長が増化することが避けられなかった。
【０００４】
本発明は、上記問題に鑑みてなされたものであり、光路折り曲げ光学素子と色分解光学素子を具備し、固体撮像素子等を用いたビデオカメラ、電子スチルカメラ等に好適な超小型、高画質のズームレンズ系とこれを有する光学機器を提供する。
【課題を解決するための手段】
【０００５】
上記課題を解決するために、本発明は、光軸に沿って物体側から順に、負の屈折力を持つ第1レンズ群と、正の屈折力を持つ第２レンズ群と、正の屈折力を持つ第３レンズ群と、正の屈折力を持つ第４レンズ群とを有するズームレンズと、前記ズームレンズからの光束を色分解するための色分解光学素子を有し、前記第１レンズ群は、光路を略９０度折り曲げることを目的とした光路折り曲げ光学素子を有し、広角端状態から望遠端状態へのズーミングに際して、最も物体側の前記第1レンズ群は常に固定され、前記色分解光学素子は、前記光路折り曲げ光学素子に入射する光線の光軸と前記光路折り曲げ光学素子を出射する光線の光軸とを含む平面上に、前記色分解光学素子によって色分解された光線の光軸を有することを特徴とするズームレンズ系を提供する。
【０００６】
また、本発明は、前記ズームレンズ系を有することを特徴とする光学機器を提供する。
【０００７】
また、本発明は、光軸に沿って物体側から順に、負の屈折力を持つ第1レンズ群と、正の屈折力を持つ第２レンズ群と、正の屈折力を持つ第３レンズ群と、正の屈折力を持つ第４レンズ群とを有するズームレンズと、前記ズームレンズからの光束を色分解するための色分解光学素子を有し、前記第１レンズ群は、光路を略９０度折り曲げることを目的とした光路折り曲げ光学素子を有し、前記色分解光学素子は、前記光路折り曲げ光学素子に入射する光線の光軸と前記光路折り曲げ光学素子を出射する光線の光軸とを含む平面上に、前記色分解光学素子によって色分解された光線の光軸を有し、広角端状態から望遠端状態へのズーミングに際して、最も物体側の前記第1レンズ群は常に固定されていることを特徴とする変倍方法を提供する。
【発明の効果】
【０００８】
本発明によれば、光路折り曲げ光学素子と色分解光学素子を具備し、固体撮像素子等を用いたビデオカメラ、電子スチルカメラ等に好適な超小型、高画質のズームレンズ系とこれを有する光学機器を提供することができる。
【発明を実施するための最良の形態】
【０００９】
以下、本発明の実施の形態に関し説明する。
【００１０】
図１は、後述する本実施の形態にかかるズームレンズ系を搭載する電子スチルカメラを示し、（ａ）は正面図を、（ｂ）は背面図をそれぞれ示す。図２は、図１（ａ）のＡ−Ａ’線に沿った断面図であり、後述する本実施の形態にかかるズームレンズ系の配置の概要を示している。
【００１１】
図１、図２において、本実施の形態にかかる電子スチルカメラ１は、不図示の電源釦を押すと撮影レンズ２の不図示のシャッタが開放され撮影レンズ２で不図示の被写体からの光が集光され、色分解光学素子Ｐ２で色分解されて像面Ｉに配置された撮像素子ＣＲ、ＣＧ、ＣＢにそれぞれ結像される。撮像装置ＣＲ、ＣＧ、ＣＢにそれぞれ結像された被写体像は、不図示の画像処理装置を介して電子スチルカメラ１の背後に配置された液晶モニター３にカラー表示される。撮影者は、液晶モニター３を見ながら被写体象の構図を決めた後、レリーズ釦４を押し下げ被写体像を撮像素子ＣＲ、ＣＧ、ＣＢで撮影し、不図示のメモリーにカラー画像を記録保存する。
【００１２】
撮影レンズ２は、後述する本実施の形態にかかるズームレンズ系２で構成されており、電子スチルカメラ１の正面から入射した光は、後述するズームレンズ系２内のプリズムＰ１で略９０度下方（図２の紙面下方）に偏向されるため、電子スチルカメラ１を薄型化することが可能になる。
【００１３】
また、色分解光学素子Ｐ２は、これに入射した光をプリズムＰ１に入射する光の光軸とプリズムＰ１を射出する光の光軸とを含む平面に、色分解した光の光軸を有するように構成されている。
【００１４】
また、電子スチルカメラ１には、被写体が暗い場合に補助光を発光する補助光発光部５、撮影レンズ２であるズームレンズ系２を広角端状態（Ｗ）から望遠端状態（Ｔ）にズーミングする際のワイド（Ｗ）ーテレ（Ｔ）釦６、および電子スチルカメラ１の種々の条件設定等に使用するファンクション釦７等が配置されている。
【００１５】
このようにして、後述する本実施の形態にかかるズームレンズ系２を内蔵する電子スチルカメラ１が構成されている。
【００１６】
次に、本実施の形態にかかるズームレンズ系に関し説明する。
【００１７】
本実施の形態にかかるズームレンズ系は、光軸に沿って物体側から順に、負の屈折力を持つ第1レンズ群と、正の屈折力を持つ第２レンズ群と、正の屈折力を持つ第３レンズ群と、正の屈折力を持つ第４レンズ群とを有するズームレンズと、ズームレンズからの光束を色分解するための色分解光学素子を有し、第１レンズ群は、光路を略９０度折り曲げることを目的とした光路折り曲げ光学素子を有し、広角端状態から望遠端状態へのズーミングに際して、最も物体側の第１レンズ群は常に固定され、色分解光学素子は、光路折り曲げ光学素子に入射する光線の光軸と前記光路折り曲げ光学素子を出射する光線の光軸とを含む平面上に色分解光学素子によって色分解された光線の光軸を有するように構成されている。
【００１８】
このように、本実施の形態にかかるズームレンズでは、色分解された波長ごとに固体撮像素子を配置することが可能となり、従来と同一サイズ、同一画素数の固体撮像素子を使用した場合、２色に色分解した場合には２倍の、３色に色分解した場合には３倍の画素数の画像を得ることが可能となる。これにより、高画素化のために固体撮像素子を大型化し、光学系自体もそれに合わせて大型化していたことを回避することが可能となる。また、同一サイズの固体撮像素子を用いた場合に、高画素化のために一画素当たりの素子サイズを小さくして固体撮像素子の総画素数を上げていたことにより受光効率が低下し固体撮像素子の感度が低下してしまうことを回避することが可能となる。また、従来と同一画素数を得る場合には、必要な画素数は、２色に色分解した場合には１／２、３色に色分解した場合には１／３の画素数で良く、画素数の少ない小型の固体撮像素子を使用することが可能となり、ズームレンズの小型化、結果がとして光学機器全体の小型化が可能となる。また、前記色分解光学素子によって色分解された後の光線の光軸が同一平面上にあるように構成されているため、光学系の組立誤差を一方向に限定することができ光学系の組立が簡単になる。
【００１９】
また、本実施の形態にかかるズームレンズ系では、色分解光学素子は、反射面を２面有していることが望ましい。これにより、ズームレンズに入射する光線を３色に色分解することが可能となる。固体撮像素子を使用する場合、固体撮像素子自身には色を認識する能力が無いため、カラー化するために素子上面に３原色の原理から、Ｒ、Ｇ、Ｂ（赤色、緑色、青色）、ないしは、Ｃｙ、Ｙｅ、Ｍｇ（シアン、イエロー、マゼンタ）、の３色のフィルターを規則的に配置して色を再現しており、このため色モアレが必ず発生していた。ズームレンズから入射する光線を３色に色分解することにより、３色に対してそれぞれ１つの固体撮像素子を配置することが可能となり、ズームレンズに対して同一位置にある画素情報よりカラー化することが可能となるため、色モアレが発生しなくなる。また、従来固体撮像素子上に横方向に配置されている３画素を用いて１色を再現していたため、固体撮像素子が有する画素数分の画質を得る事が困難であったが、同一位置にある画素情報よりカラー化することにより、固体撮像素子が有する画素数分の画質を得ることが可能となる。
【００２０】
また、本実施の形態にかかるズームレンズ系では、色分解光学素子の反射面は、色分解光学系に入射する光線の光軸に対して略４５度傾いていることが望ましい。このように色分解するための色分解光学素子が有する反射面を、ズームレンズの光軸に対して略４５度傾けて配置することにより、色分解光学素子の形状を正方形にすることが可能となる。これにより、各色ごとの光路長を同一にし、且つ色分解光学素子の形状を小さくすることが可能となる。
【００２１】
また、本実施の形態にかかるズームレンズ系は、光路折り曲げ光学素子の光路長をＰｄ、色分解光学素子の光路長をＳｄとしたとき、以下の条件式（１）を満足することが望ましい。
（１）  １．５０  ＜  Ｐｄ／Ｓｄ  ＜  ２．５０
条件式（１）は、光路折り曲げ光学素子の光路長と、色分解光学素子の光路長との関係を規定したものである。条件式（１）を下回ると、色分解光学素子が大型化し、それに伴い球面収差、歪曲収差が劣化するため好ましくない。条件式（１）を上回ると、光路折り曲げ光学素子が大型化し、それに伴いコマ収差が劣化するため好ましくない。また、色分解光学素子の光路長が短くなり、撮像素子に必要な光量を確保することが困難となるため好ましくない。
【００２２】
また、本実施の形態にかかるズームレンズ系は、光路折り曲げ光学素子の屈折率をｎｄ１、色分解光学素子の屈折率をｎｄ２としたとき、以下の条件式（２）、（３）を満足することが望ましい。
（２）  １．８０  ＜  ｎｄ１
（３）  ｎｄ２  ＜  １．６０
条件式（２）は、光路折り曲げ光学素子の屈折率を規定したものである。条件式（２）を下回ると、光路折り曲げ光学素子が大型化し、それに伴いコマ収差が劣化するため好ましくない。
【００２３】
条件式（３）は色分解光学素子の屈折率を規定したものである。条件式（３）を上回ると、色分解するためのダイクロイックミラーの色分解特性が悪化するため好ましくない。
【００２４】
また、本実施の形態にかかるズームレンズ系は、広角端状態から望遠端状態へのズーミングに際して、最も物体側の第１レンズ群と、最も像面側の第４レンズ群は常に固定され、第２レンズ群及び第３レンズ群がそれぞれ光軸に沿って移動することが望ましい。最も物体側の第１レンズ群は、広角端状態から望遠端状態へのズーミングに際して常に固定とすることにより、ズームレンズ中一番大きなレンズ群を稼動させる必要が無く、ズームレンズを構造的に簡素なものにすることができる。また、一番大きなレンズ群である第１レンズ群以外によってズーミングすることにより、今まで使用していた駆動系より小さな駆動系を使用することも可能となる。また、最も像面側の第４レンズ群を固定とすることにより、最終レンズ群と色分解光学素子とを同一構成部品内に配置することが可能となり、鏡筒構造を単純化することができる。また、ズームレンズ中の最も物体側のレンズ群と最も像面側のレンズ群を固定群とすることにより、鏡筒ユニット全体として全長がまったく変化しない構造をとることが可能となるため、ズームレンズの構造を単純化することができ、外力に強い構造を有する構成にすることができる。
【００２５】
なお、複数個の固体撮像素子のうち、少なくとも１つの固体撮像素子が、基準となる固体撮像素子に対して、固体撮像素子に入射する光軸に対して垂直方向あるいは水平方向にシフトして取り付けられていることが望ましい。垂直方向にシフトして取り付けることにより倍率色収差の補正が可能になる。また水平方向にシフトして取り付けることにより軸上色収差をキャンセルすることができる。
【００２６】
なお、複数個の固体撮像素子のうち、少なくとも１つの固体撮像素子が、基準となる固体撮像素子に対して、固体撮像素子に入射する光軸に対して垂直方向及び水平方向にシフトして取り付けられていることが望ましい。垂直方向にシフトして取り付けることにより倍率色収差の補正が可能になる。また水平方向にシフトして取り付けることにより軸上色収差をキャンセルすることができる。
【００２７】
また、本実施の形態にかかるズームレンズ系では、光軸に沿って物体側から順に、負の屈折力を持つ第1レンズ群と、正の屈折力を持つ第２レンズ群と、正の屈折力を持つ第３レンズ群と、正の屈折力を持つ第４レンズ群とを有するズームレンズと、前記ズームレンズからの光束を色分解するための色分解光学素子を有し、前記第１レンズ群は、光路を略９０度折り曲げることを目的とした光路折り曲げ光学素子を有し、前記色分解光学素子は、前記光路折り曲げ光学素子に入射する光線の光軸と前記光路折り曲げ光学素子を出射する光線の光軸とを含む平面上に前記色分解光学素子によって色分解された光線の光軸を有し、広角端状態から望遠端状態へのズーミングに際して、最も物体側の前記第1レンズ群は常に固定されている変倍方法が望ましい。最も物体側の第１レンズ群は、広角端状態から望遠端状態へのズーミングに際して常に固定とする変倍方法を採用することにより、ズームレンズ中一番大きなレンズ群を稼動させる必要が無く、ズームレンズを構造的に簡素なものにすることができる。
【００２８】
なお、第１レンズ群から正の屈折力を持つ複数のレンズ群において、任意の面を回折面としてもよい。また、第１レンズ群から正の屈折力を持つ複数のレンズ群において、任意のレンズを、屈折率分布型レンズ（ＧＲＩＮレンズ）あるいはプラスチックレンズとしてもよい。
【００２９】
（実施例）
以下、本実施の形態にかかるズームレンズ系の各実施例を添付図面に基づいて説明する。
【００３０】
（第１実施例）
図３は、第１実施例にかかるズームレンズ系のレンズ構成図を示す。なお、本第１実施例にかかるズームレンズ系は、図２に示すように光路を９０度偏向するものであるが、構成図ではこれを展開して示している。
【００３１】
図３において、本第１実施例にかかるズームレンズは、光軸に沿って物体側から順に、負の屈折力を持つ第１レンズ群Ｇ１と、正の屈折力を持つ第２レンズ群Ｇ２と、正の屈折力を持つ第３レンズ群Ｇ３、正の屈折力を持つ第４レンズ群Ｇ４とを有するズームレンズと、ズームレンズの光束からを色分解するための色分解光学素子Ｐ２を有し、広角端状態Ｗから望遠端状態Ｔへのズーミングに際して、最も物体側の第１レンズ群Ｇ1は常に固定され、第２レンズ群Ｇ２は物体側へ移動し、第３レンズ群Ｇ３は一旦像面Ｉ側に移動したのち物体側に移動する構成である。
【００３２】
第１レンズ群Ｇ１は、光軸に沿って物体側から順に、物体側に凸面を向けた負メニスカスレンズＬ１１と、光路を９０度折り曲げるための直角プリズムＰ１と、両凹形状の負レンズＬ１２と両凸形状の正レンズＬ１３との接合レンズから構成されている。
【００３３】
第２レンズ群Ｇ２は、光軸に沿って物体側から順に、両凸形状の正レンズＬ２１と、両凸形状の正レンズＬ２２と両凹形状の負レンズＬ２３との接合レンズと、両凸形状の正レンズＬ２４から構成されている。
【００３４】
開口絞りＳは、第２レンズ群Ｇ２の最も物体側のレンズＬ２１の近傍に配置され、広角端状態Ｗから望遠端状態Ｔへのズーミングに際して第２レンズ群Ｇ２と一緒に移動する。
【００３５】
第３レンズ群Ｇ３は、光軸に沿って物体側から順に、物体側に凸面を向けた正メニスカスレンズＬ３１と、物体側に凸面を向けた負メニスカスレンズＬ３２から構成されている。
【００３６】
第４レンズ群Ｇ４は、物体側に凸面を向けた負メニスカスレンズＬ４１と、両凸形状の正レンズＬ４２から構成されている。
【００３７】
第４レンズ群Ｇ４と像面Iとの間に、ズームレンズからの光束を色分解するための色分解光学素子Ｐ２が配設されている。
【００３８】
色分解光学素子Ｐ２は、図１１に示すように、第１プリズム１３、第２プリズム１４、第３プリズム１５及び第４プリズム１６から構成されている。
【００３９】
第１プリズム１３は、入射面１３ａ、第１反射面１３ｂ１、第２反射面１３ｂ２を有し、第２プリズム１４は、入射面１４ａ１、反射面１４ａ２、射出面１４ｃを有し、第３プリズム１５は、入射面１５ａ１、反射面１５ａ２、射出面１５ｃを有し、第４プリズム１６は、入射面１６ａ１、反射面１６ａ２、射出面１６ｃを有している。
【００４０】
第１プリズム１３と第２プリズム１４は、第１プリズム１３の第２反射面１３ｂ２と第２プリズム１４の入射面１４ａ１で接合され、第１プリズム１３と第３プリズム１５は、第１プリズム１３の第１反射面１３ｂ１と第３プリズム１５の入射面１５ａ１で接合され、第２プリズム１４と第４プリズム１６は、第２プリズム１４の反射面１４ａ２と第４プリズム１６の入射面１６ａ２で接合され、第３プリズム１５と第４プリズム１６は、第３プリズム１５の反射面１５ａ２と第４プリズム１６の入射面１６ａ１で接合されて構成されている。
【００４１】
ズームレンズからの光束は、第１プリズム１３の入射面１３ａから入射しダイクロイック膜を施された第１反射面１３ｂ１と第２プリズム１４のダイクロイック膜を施された反射面１４ａ２とで所定の波長域の緑色光（Ｇ光）が反射されて射出面１４ｃから射出される。また第１プリズム１３のダイクロイック膜を施された第２反射面１３ｂ２と第３プリズム１５のダイクロイック膜を施された反射面１５ａ２とで所定の波長領域の青色光（Ｂ光）が反射されて射出面１５ｃから射出される。そしてズームレンズからの光束のうち射出面１４ｃ射出面１５ｃから射出されたＧ光、Ｂ光以外の赤色光（Ｒ光）は、第４プリズム１６の射出面１６ｃから射出される。なお、色分解光学素子Ｐ２において、第１反射面１３ｂ１と反射面１４ａ２、第２反射面１３ｂ２と反射面１５ａ２は、それぞれ同一平面となるように構成されている。
【００４２】
なお、色分解光学素子Ｐ２の構成は、以降の他の実施例でも同様であり説明を省略する。
【００４３】
以下の表１に、本第１実施例にかかるズームレンズ系の諸元の値を示す。表１において、[全体諸元]中、ｆは焦点距離、Ｂｆはバックフォーカス、ＦＮｏはＦナンバー、ωは半画角（単位：度）をそれぞれ表わしている。[レンズ諸元]中、面番号は物体側からのレンズ面の番号、ｒはレンズ面の曲率半径、ｄはレンズ面間隔、νはｄ線（λ＝５８７．５６ｎｍ）に対するアッベ数、ｎはｄ線（λ＝５８７．５６ｎｍ）に対する屈折率をそれぞれ表わしている。なお、「ｒ＝∞」は平面または開口を示し、空気の屈折率1.000000は記載を省略している。［非球面データ］には、次式で非球面を表現した場合の非球面係数を示している。
Ｘ（ｙ）＝ｙ２／[ｒ×{１＋（１−ｋ×ｙ２／ｒ２）１／２}]
＋Ｃ４×ｙ４ ＋Ｃ６×ｙ６＋Ｃ８×ｙ８ ＋Ｃ１０×ｙ１０ 
ここで、Ｘ（ｙ）は非球面の頂点における接平面から高さｙにおける非球面上の位置までの光軸方向に沿った距離、ｒは基準球面の曲率半径（近軸曲率半径）、ｋは円錐定数、Ｃｉは第ｉ次の非球面係数をそれぞれ示している。また、「E-ｎ」（ｎ：整数）は「10−ｎ」を示している。[ズーミングデータ]には、広角端状態、中間焦点距離状態、望遠端状態の各状態における焦点距離ｆ、可変間隔の値を示す。
【００４４】
なお、以下の全ての諸元値において、掲載されている焦点距離ｆ、曲率半径ｒ、面間隔ｄ、その他の長さ等は、特記の無い場合一般に「ｍｍ」が使われるが、光学系は比例拡大または比例縮小しても同等の光学系脳が得られるので、これに限られるものではない。また、単位は「ｍｍ」に限定されること無く他の適当な単位を用いることもできる。なお、以下の全実施例において、本実施例と同様の符号を用い以降の説明を省略する。
【００４５】
（表１）
[全体諸元]
ｆ＝5.94310〜10.00000〜16.83600
Ｂｆ＝0.49996
ＦＮｏ＝2.76652〜3.69688〜5.04951
ω＝33.99692〜20.46870〜12.29204
[レンズ諸元]
面番号    ｒ       ｄ     ν     ｎ
1)   19.8655   0.8000 40.76 1.883000
2)    5.9913   1.6500       
3)    ∞       7.5000 40.76 1.883000
4)    ∞       0.3000       
5)  -19.9191   0.8000 40.76 1.883000
6)  103.9857   1.8000 24.06 1.821140    
7)  -17.2723   (D1)                   （非球面）
8>    ∞       0.0000                 （開口絞りＳ）
9)    7.7573   1.8000 61.18 1.589130  （非球面）
10)  -24.4001   0.3000       
11)   11.9274   2.0000 81.61 1.497000
12)  -11.8345   1.3000 36.26 1.620040
13)    5.4549   0.8000       
14)13182.8040   0.8000 33.05 1.666800
15)  -34.9179   (D2)
16)   10.1426   1.4000 81.61 1.497000
17)   33.3458   0.4000       
18)    8.8390   1.3000 25.43 1.805180
19)    6.4916   (D3)
20)   16.9438   0.8000 42.71 1.834807
21)    9.2712   1.0000       
22)   19.3953   1.3000 52.64 1.740999
23)  -17.4858   0.3000                 （非球面）
24)    ∞       4.8000 64.14 1.516330
25)    ∞       (Bf)
[非球面データ]
7面
ｋ＝ -17.1615
C4＝  -5.66010E-04  
C6＝   9.09570E-06
C8＝  -1.81010E-07  
C10＝  0.00000E+00
9面
ｋ＝  -0.6161  
C4＝   1.37280E-04  
C6＝   0.00000E+00
C8＝   0.00000E+00  
C10＝  0.00000E+00
18面
ｋ＝   6.3457  
C4＝  -1.10740E-04
C6＝  -1.63630E-06  
C8＝   0.00000E+00  
C10＝  0.00000E+00
[ズーミングデータ]
広角端状態  中間焦点距離状態  望遠端状態
ｆ   5.94310      10.00000       16.83600
D1   13.57700       6.25063        0.80003
D2    1.15868       6.98070        1.15868
D3    3.05160       4.55595       15.82855
[条件式対応値]
（１）  Pｄ／Sｄ  ＝  １．５６２５
（２）  ｎｄ１    ＝  １．８８３０００
（３）  ｎｄ２    ＝  １．５１６３３０
【００４６】
図４は、本第１実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。各収差図において、ＦNOはＦナンバー、Ａは半画角（単位：度）、ｄはｄ線（λ=587.6nm）及びｇはｇ線（λ=435.6nm）、CはC線（λ=656.3nm）、FはF線（λ=486.1nm）を示す。非点収差図において、実線はサジタル像面を、破線はメリジオナル像面をそれぞれ示す。また、これらの記号の説明は、他の実施例においても同様とし以降の説明を省略する。
【００４７】
各収差図から、本第１実施例にかかるズームレンズ系は、諸収差が良好に補正され、優れた結像性能を有していることが明らかである。
【００４８】
（第２実施例）
図５は、第２実施例にかかるズームレンズ系のレンズ構成図を示す。なお、本第２実施例にかかるズームレンズ系は、図２に示すように光路を９０度偏向するものであるが、構成図ではこれを展開して示している。
【００４９】
図５において、本第２実施例にかかるズームレンズは、光軸に沿って物体側から順に、負の屈折力を持つ第１レンズ群Ｇ１と、正の屈折力を持つ第２レンズ群Ｇ２と、正の屈折力を持つ第３レンズ群Ｇ３、正の屈折力を持つ第４レンズ群Ｇ４とを有するズームレンズと、ズームレンズの光束からを色分解するための色分解光学素子Ｐ２を有し、広角端状態Ｗから望遠端状態Ｔへのズーミングに際して、最も物体側の第１レンズ群Ｇ1は常に固定され、第２レンズ群Ｇ２は物体側へ移動し、第３レンズ群Ｇ３は一旦像面Ｉ側に移動したのち物体側に移動する構成である。
【００５０】
第１レンズ群Ｇ１は、光軸に沿って物体側から順に、物体側に凸面を向けた負メニスカスレンズＬ１１と、光路を９０度折り曲げるための直角プリズムＰ１と、両凹形状の負レンズＬ１２と両凸形状の正レンズＬ１３との接合レンズから構成されている。
【００５１】
第２レンズ群Ｇ２は、光軸に沿って物体側から順に、両凸形状の正レンズＬ２１と、両凸形状の正レンズＬ２２と両凹形状の負レンズＬ２３との接合レンズと、両凸形状の正レンズＬ２４から構成されている。
【００５２】
開口絞りＳは、第２レンズ群Ｇ２の最も物体側のレンズＬ２１の近傍に配置され、広角端状態Ｗから望遠端状態Ｔへのズーミングに際して第２レンズ群Ｇ２と一緒に移動する。
【００５３】
第３レンズ群Ｇ３は、光軸に沿って物体側から順に、物体側に凸面を向けた正メニスカスレンズＬ３１と、物体側に凸面を向けた負メニスカスレンズＬ３２から構成されている。
【００５４】
第４レンズ群Ｇ４は、物体側に凸面を向けた負メニスカスレンズＬ４１と、両凸形状の正レンズＬ４２から構成されている。
【００５５】
第４レンズ群Ｇ４と像面Iとの間に、ズームレンズからの光束を色分解するための色分解光学素子Ｐ２が配設されている。
【００５６】
以下の表２に、本第２実施例にかかるズームレンズ系の諸元の値を示す。
【００５７】
(表２)
[全体諸元]
ｆ＝5.94310〜10.00000〜16.83600
Ｂｆ＝0.49996
ＦＮｏ＝2.76652〜3.69688〜5.04951
ω＝33.99692〜20.46870〜12.29204
[レンズ諸元]
面番号    ｒ       ｄ     ν     ｎ
1)   20.8394   0.8000 40.76 1.883000
2)    6.0326   1.6500       
3)    ∞       7.5000 40.76 1.883000
4)    ∞       0.3000       
5)  -20.4209   0.8000 40.76 1.883000
6)  102.4783   1.8000 24.06 1.821140    
7)  -17.3732   (D1)                   （非球面）
8>    ∞       0.0000                 （開口絞りＳ）
9)    7.5270   1.8000 61.18 1.589130  （非球面）
10)  -24.5007   0.3000       
11)   12.6685   2.0000 81.61 1.497000
12)  -11.2776   1.3000 36.26 1.620040
13)    5.3954   0.8000       
14)  108.7562   0.8000 33.05 1.666800
15)  -46.0704   (D2)         
16)   10.1233   1.4000 81.61 1.497000
17)   33.0205   0.4000       
18)    8.8537   1.3000 25.43 1.805180
19)    6.5041   (D3)      
21)   16.7199   0.8000 42.71 1.834807
22)    9.3231   1.0000                 （非球面）
23)   21.0666   1.3000 52.64 1.740999
24)  -16.7256   0.3000       
25)    ∞       4.8000 64.14 1.516330
26)    ∞       (Bf)         
[非球面データ]
7面
ｋ＝  -18.5607
C4＝   -5.91570E-04  
C6＝    1.09470E-05
C8＝   -2.43470E-07  
C10＝  0.00000E+00
9面
ｋ＝  -0.5829  
C4＝   1.51220E-04  
C6＝   0.00000E+00
C8＝   0.00000E+00
C10＝  0.00000E+00
22面
ｋ＝   9.9147  
C4＝  -1.43740E-04
C6＝  -2.70260E-06  
C8＝   0.00000E+00
C10＝  0.00000E+00
[ズーミングデータ]
広角端状態  中間焦点距離状態  望遠端状態
f     5.94310      10.00000       16.83600
D1    13.57694       6.25057        0.79997
D2     1.10475       6.92677        1.10475
D3     3.05358       4.55793       15.83053
[条件式対応値]
（１）  Pｄ／Sｄ  ＝  １．５６２５
（２）  ｎｄ１    ＝  １．８８３０００
（３）  ｎｄ２    ＝  １．５１６３３０
【００５８】
図６は、本第２実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【００５９】
各収差図から、本第２実施例にかかるズームレンズ系は、諸収差が良好に補正され、優れた結像性能を有していることが明らかである。
【００６０】
（第３実施例）
図７は、第３実施例にかかるズームレンズ系のレンズ構成図を示す。なお、本第３実施例にかかるズームレンズ系は、図２に示すように光路を９０度偏向するものであるが、構成図ではこれを展開して示している。
【００６１】
図７において、本第３実施例にかかるズームレンズは、光軸に沿って物体側から順に、負の屈折力を持つ第１レンズ群Ｇ１と、正の屈折力を持つ第２レンズ群Ｇ２と、正の屈折力を持つ第３レンズ群Ｇ３、正の屈折力を持つ第４レンズ群Ｇ４とを有するズームレンズと、ズームレンズの光束からを色分解するための色分解光学素子Ｐ２を有し、広角端状態Ｗから望遠端状態Ｔへのズーミングに際して、最も物体側の第１レンズ群Ｇ1は常に固定され、第２レンズ群Ｇ２は物体側へ移動し、第３レンズ群Ｇ３は一旦像面Ｉ側に移動したのち物体側に移動する構成である。
【００６２】
第１レンズ群Ｇ１は、光軸に沿って物体側から順に、物体側に凸面を向けた負メニスカスレンズＬ１１と、光路を９０度折り曲げるための直角プリズムＰ１と、両凹形状の負レンズＬ１２と両凸形状の正レンズＬ１３との接合レンズから構成されている。
【００６３】
第２レンズ群Ｇ２は、光軸に沿って物体側から順に、両凸形状の正レンズＬ２１と、両凸形状の正レンズＬ２２と両凹形状の負レンズＬ２３との接合レンズと、両凸形状の正レンズＬ２４から構成されている。
【００６４】
開口絞りＳは、第２レンズ群Ｇ２の最も物体側のレンズＬ２１の近傍に配置され、広角端状態Ｗから望遠端状態Ｔへのズーミングに際して第２レンズ群Ｇ２と一緒に移動する。
【００６５】
第３レンズ群Ｇ３は、光軸に沿って物体側から順に、物体側に凸面を向けた正メニスカスレンズＬ３１と、物体側に凸面を向けた負メニスカスレンズＬ３２から構成されている。
【００６６】
第４レンズ群Ｇ４は、物体側に凸面を向けた負メニスカスレンズＬ４１と、両凸形状の正レンズＬ４２から構成されている。
【００６７】
第４レンズ群Ｇ４と像面Iとの間に、ズームレンズからの光束を色分解するための色分解光学素子Ｐ２が配設されている。
【００６８】
以下の表３に、本第３実施例にかかるズームレンズ系の諸元の値を示す。
【００６９】
（表３）
[全体諸元]
ｆ＝5.94309〜9.99998〜16.83598
Ｂｆ＝0.49997
ＦＮｏ＝2.80767〜3.76732〜5.15074
ω＝34.01321〜20.49038〜12.29029
[レンズ諸元]
面番号    ｒ       ｄ     ν     ｎ
1)   23.2206   0.8000 40.76 1.883000
2)    5.9894   1.6500       
3)    ∞       7.5000 40.76 1.883000
4)    ∞       0.3000       
5)  -18.7059   0.8000 40.76 1.883000
6) -564.0658   1.8000 24.06 1.821140
7)  -15.5777   (D1)                   （非球面）
8>    ∞       0.0000                 （開口絞り）
9)    7.5667   2.1000 61.18 1.589130  （非球面）
10)  -23.0059   0.4000       
11)   13.5301   2.1000 81.61 1.497000
12)   -9.4916   1.4000 36.26 1.620040
13)    5.3989   0.8000       
14)   42.3783   0.8000 33.05 1.666800
15)  -96.7065   (D2)
16)   10.1441   1.6000 81.61 1.497000  （非球面）
17)   26.0738   0.2000       1.000000
18)    9.6590   1.3000 25.43 1.805180
19)    7.1599   (D3)
20)   18.5089   0.9000 42.71 1.834807
21)   10.2197   0.9000       
22)   25.6774   1.3000 52.64 1.740999  （非球面）
23)  -15.4033   0.3000       
24)    ∞       4.8000 64.14 1.516330
25)    ∞       (Bf)
[非球面データ]
7面
ｋ＝  -5.9723  
C4＝  -3.63613E-04  
C6＝   1.74226E-06
C8＝  -4.87103E-08  
C10＝  0.00000E+00
9面
ｋ＝   0.5648  
C4＝  -1.79476E-04  
C6＝   0.00000E+00
C8＝   0.00000E+00
C10＝  0.00000E+00
16面
ｋ＝   0.7817  
C4＝  -2.68081E-05  
C6＝   2.34339E-06  
C8＝   0.00000E+00
C10＝  0.00000E+00
22面
ｋ＝ -49.0728  
C4＝   2.10150E-04
C6＝  -4.24490E-06  
C8＝   0.00000E+00
C10＝  0.00000E+00
[ズーミングデータ]
広角端状態  中間焦点距離状態  望遠端状態
f   5.94309        9.99998       16.83598
D1  13.44447        6.09035        0.59999
D2   0.89062        7.42043        0.87054
D3   2.92555        3.74984       15.79010
[条件式]
（１）  Pｄ／Sｄ  ＝  １．５６２５
（２）  ｎｄ１    ＝  １．８８３０００
（３）  ｎｄ２    ＝  １．５１６３３０
【００７０】
図８は、本第３実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【００７１】
各収差図から、本第３実施例にかかるズームレンズ系は、諸収差が良好に補正され、優れた結像性能を有していることが明らかである。
【００７２】
（第４実施例）
図９は、第４実施例にかかるズームレンズ系のレンズ構成図を示す。なお、本第４実施例にかかるズームレンズ系は、図２に示すように光路を９０度偏向するものであるが、構成図ではこれを展開して示している。
【００７３】
図９において、本第４実施例にかかるズームレンズは、光軸に沿って物体側から順に、負の屈折力を持つ第１レンズ群Ｇ１と、正の屈折力を持つ第２レンズ群Ｇ２と、正の屈折力を持つ第３レンズ群Ｇ３、正の屈折力を持つ第４レンズ群Ｇ４とを有するズームレンズと、ズームレンズの光束からを色分解するための色分解光学素子Ｐ２を有し、広角端状態Ｗから望遠端状態Ｔへのズーミングに際して、最も物体側の第１レンズ群Ｇ1は常に固定され、第２レンズ群Ｇ２は物体側へ移動し、第３レンズ群Ｇ３は一旦像面Ｉ側に移動したのち物体側に移動する構成である。
【００７４】
第１レンズ群Ｇ１は、光軸に沿って物体側から順に、物体側に凸面を向けた負メニスカスレンズＬ１１と、光路を９０度折り曲げるための直角プリズムＰ１と、両凹形状の負レンズＬ１２と両凸形状の正レンズＬ１３との接合レンズから構成されている。
【００７５】
第２レンズ群Ｇ２は、光軸に沿って物体側から順に、両凸形状の正レンズＬ２１と、両凸形状の正レンズＬ２２と両凹形状の負レンズＬ２３との接合レンズと、両凸形状の正レンズＬ２４から構成されている。
【００７６】
開口絞りＳは、第２レンズ群Ｇ２の最も物体側のレンズＬ２１の近傍に配置され、広角端状態Ｗから望遠端状態Ｔへのズーミングに際して第２レンズ群Ｇ２と一緒に移動する。
【００７７】
第３レンズ群Ｇ３は、光軸に沿って物体側から順に、物体側に凸面を向けた正メニスカスレンズＬ３１と、物体側に凸面を向けた負メニスカスレンズＬ３２から構成されている。
【００７８】
第４レンズ群Ｇ４は、物体側に凸面を向けた負メニスカスレンズＬ４１と、両凸形状の正レンズＬ４２から構成されている。
【００７９】
第４レンズ群Ｇ４と像面Iとの間に、ズームレンズからの光束を色分解するための色分解光学素子Ｐ２と、像面Ｉに配設されるＣＣＤ等の固体撮像素子の限界解像以上の空間周波数をカットするためのローパスフィルタＬＰＦをを有する。
【００８０】
以下の表４に、本第４実施例にかかるズームレンズ系の諸元の値を示す。
【００８１】
(表４)
[全体諸元]
ｆ＝5.94306〜9.99994〜16.83590
Ｂｆ＝0.46993
ＦＮｏ＝2.80271〜3.75726〜5.12893
ω＝34.19137〜20.59354〜12.34319
[レンズ諸元]
面番号    ｒ       ｄ     ν     ｎ
1)   21.1202   0.8000 40.76 1.883000
2)    6.0063   1.6500       
3)    ∞       7.5000 40.76 1.883000
4)    ∞       0.3000       
5)  -18.7208   0.8000 40.76 1.883000
6)  252.2607   1.8000 24.06 1.821140
7)  -16.0811   (D1)                   （非球面）
8>    ∞       0.0000                 （開口絞りＳ）
9)    7.5722   2.1000 61.18 1.589130  （非球面）
10)  -22.5765   0.4000       
11)   14.7284   2.1000 81.61 1.497000
12)   -9.1099   1.4000 36.26 1.620040
13)    5.4903   0.8000       
14)   25.0609   0.8000 33.05 1.666800
15)  332.3130   (D2)         
16)   10.5366   1.5000 81.61 1.497000  （非球面）
17)   28.3588   0.2000       
18)    9.8066   1.4000 25.43 1.805180
19)    7.2964   (D3)         
20)   25.9132   0.8000 42.71 1.834807
21)   11.4231   0.9000       
22)   20.8753   1.2000 52.64 1.740999  （非球面）
23)  -16.7478   0.3000       
24)    ∞       4.8000 64.14 1.516330
25)    ∞       0.2000       
26)    ∞       0.5000 64.10 1.516800
27)    ∞       (Bf)         
[非球面データ]
7面
ｋ＝  -6.5906  
C4＝  -3.59590E-04  
C6＝   1.34640E-06
C8＝  -2.75690E-08  
C10＝  0.00000E+00
9面
ｋ＝   0.5301  
C4＝  -1.63540E-04  
C6＝   0.00000E+00
C8＝   0.00000E+00
C10＝  0.00000E+00
16面
ｋ＝   0.0972  
C4＝   4.47270E-05  
C6＝   2.95240E-06  
C8＝   0.00000E+00
C10＝  0.00000E+00
22面
ｋ＝ -18.9969  
C4＝   1.90430E-04
C6＝  -2.64330E-06  
C8＝   0.00000E+00
C10＝  0.00000E+00
[ズーミングデータ]
広角端状態  中間焦点距離状態  望遠端状態
f   5.94306       9.99994        16.83590
D1  13.85624       6.46868         0.93973
D2   1.05792       7.41760         0.94949
D3   2.56567       3.59354        15.59061
[条件式]
（１）  Pｄ／Sｄ  ＝  １．５６２５
（２）  ｎｄ１    ＝  １．８８３０００
（３）  ｎｄ２    ＝  １．５１６３３０
【００８２】
図１０は、本第４実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【００８３】
各収差図から、本第４実施例にかかるズームレンズ系は、諸収差が良好に補正され、優れた結像性能を有していることが明らかである。
【００８４】
なお、全ての実施例において色分解光学素子Ｐ２は、図１２に示す色分解光学素子Ｐ３に置換することが可能である。
【００８５】
色分解光学素子Ｐ３は、第１プリズム１１と第２プリズム１２から構成され、１１ａは第１プリズム１１の入射面、１１ｃは第１プリズム１１の射出面、１２ａは第２プリズム２の入射面、１２ｃは第２プリズム１２の射出面であり、第１プリズム１１と第２プリズム１２は、第１プリズム１１の反射面１１ｂと第２プリズム１２の入射面１２ａで接合されている。
【００８６】
ズームレンズからの光束は、第１プリズム１１のダイクロイック膜を施された反射面１１ｂで所定の波長域の色光Ｇ、Ｂ（緑色、青色）が反射、分岐され、第１プリズム１１の射出面１１ｃより射出される。そして第１プリズムの射出面１１ｃより射出されたＧ、Ｂ以外の色光Ｒ（赤色）は、第２プリズム１２の射出面１２ｃより射出される。
【００８７】
また、以下に記載の内容は、光学性能を損なわない範囲で適宜採用可能である。
【００８８】
また、実施例では、４群構成を示したが、５群等の他の群構成にも適用可能である。
【００８９】
また、単独または複数のレンズ群、または部分レンズ評を光軸方向に移動させて、無限遠物体から近距離物体への合焦を行う合焦レンズ群としても良い。また、前記合焦レンズ群はオートフォーカスにも適用出来、オートフォーカス用の(超音波モーター等の)モーター駆動にも適している。特に第２レンズ群及び／又は第３レンズ群を合焦レンズ群とするのが好ましい。
また、レンズ群または部分レンズ群を光軸に垂直な方向に振動させて、手ぶれによって生じる像ぶれを補正する防振レンズ群としても良い。特に第２レンズ群及び／又は第３レンズ群を防振レンズ群とするのが好ましい。
【００９０】
また、レンズ面を非球面としても構わない。また、研削加工による非球面、ガラスを型で非球面形状に形成したガラスモールド非球面、ガラスの表面に樹脂を非球面形状に形成した複合型非球面のいずれの非球面でも構わない。
【００９１】
また、各レンズ面には、広い波長城で高い透過率を有する反射防止膜が施され、フレアやゴーストを軽減し高いコントラストの高い光学性能を達成できる。
【００９２】
以上説明したように、本発明によればズームレンズ、特に固体撮像素子等を用いたビデオカメラ、電子スチルカメラ等に好適なズームレンズであって、特にズーム比が２．５倍以上で、ズームレンズを配置する場所が限られた際に使用することを考慮して光路を９０度折り曲げた、超小型、高画質なズームレンズを提供することが可能となる。
【００９３】
なお、上述の実施の形態は例に過ぎず、上述の構成や形状に限定されるものではなく、本発明の範囲内において適宜修正、変更が可能である。
【図面の簡単な説明】
【００９４】
【図１】本実施の形態にかかるズームレンズ系を搭載する光学装置である電子スチルカメラを示し、（ａ）は正面図を、（ｂ）は背面図をそれぞれ示す。
【図２】図１（ａ）のＡ−Ａ’線に沿った断面図であり、本実施の形態にかかるズームレンズ系の配置の概要を示している。
【図３】第１実施例にかかるズームレンズ系のレンズ構成図を示す。
【図４】本第１実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【図５】第２実施例にかかるズームレンズ系のレンズ構成図を示す。
【図６】本第２実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【図７】第３実施例にかかるズームレンズ系のレンズ構成図を示す。
【図８】本第３実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【図９】第４実施例にかかるズームレンズ系のレンズ構成図を示す。
【図１０】本第４実施例にかかるズームレンズ系の無限遠合焦状態における諸収差図であり、（ａ）は広角端状態での諸収差図を、（ｂ）は中間焦点距離状態での諸収差図を、（ｃ）は望遠端状態での諸収差図をそれぞれ示す。
【図１１】実施の形態にかかるズームレンズ系に用いられる色分解光学素子の一例の概略構成図。
【図１２】実施の形態にかかるズームレンズ系に用いられる色分解光学素子の他の例の概略構成図。
【符号の説明】
【００９５】
１    電子スチルカメラ（光学機器）
２    撮影レンズ（ズームレンズ）
３    液晶モニター
４    レリーズ釦
５    補助光発光部
６    ワイドーテレ釦
７    ファンクション釦
１１、１３  第１プリズム
１２、１４  第２プリズム
１５        第３プリズム
１６        第４プリズム
ＣＲ，ＣＧ，ＣＢ    撮像素子
Ｇ１    第１レンズ群
Ｇ２    第２レンズ群
Ｇ３    第３レンズ群
Ｇ４    第４レンズ群
Ｐ１    光路折り曲げ光学素子
Ｐ２、Ｐ３    色分解用光学素子
Ｓ    開口絞り
Ｉ    像面
ＬＰＦ  ローパスフィルター
【図１】
2008008978.tif 000003
【図２】
2008008978.tif 000004
【図３】
2008008978.tif 000005
【図４】
2008008978.tif 000006
【図５】
2008008978.tif 000007
【図６】
2008008978.tif 000008
【図７】
2008008978.tif 000009
【図８】
2008008978.tif 000010
【図９】
2008008978.tif 000011
【図１０】
2008008978.tif 000012
【図１１】
2008008978.tif 000013
【図１２】
2008008978.tif 000014